(57)【要約】【課題】アルコール飲料のアルコール分を除去する装置である。【解決手段】アルコール飲料を収容する手段を含む第１容器と、液体を収容する手段を含む第２容器と、第１容器からアルコール飲料を受けるように調整される第３容器とを備え、第３容器は第２容器に更に連結されている。内部の圧力を低下させるために、少なくとも第３容器に少なくとも機能的に通じる真空を発生させるための手段と、少なくとも部分的に第２容器内部にある分留手段と、第２容器及び第３容器に機能的に結合している分留手段とをさらに備える。装置は、アルコール飲料から蒸発するエタノールが第２容器へ分留手段を介して流れるように、アルコール飲料のための真空蒸留を促進するように調整され、その結果、蒸発したエタノールは第２容器の液体に溶解する。本脱アルコールのための方法を提示する。【選択図】図１
2020500706.tif 000002
【特許請求の範囲】
【請求項１】
アルコール飲料のアルコール分を除去する装置（１００、２００）であって、
前記アルコール飲料を収容する手段を含む第１容器（１０２、２０２）と、
液体を収容する手段を含む第２容器（１０４、２０４）と、
前記第１容器から、前記アルコール飲料を受けるように調整される第３容器（１０６、２０６）とを備え、
前記第３容器は前記第２容器（１０４、２０４）に更に連結され、
内部の圧力を低下させるために、少なくとも前記第３容器（１０６、２０６）と少なくとも機能的に通じる真空（２１１ｂ）を発生させるための手段と、
少なくとも部分的に前記第２容器（１０４、２０４）内部にある分留手段（２０５）とを備え、
前記分留手段（２０５）は、前記第２容器（１０４、２０４）及び前記第３容器（１０６、２０６）に機能的に連結しており、
前記装置（１００、２００）は前記アルコール飲料のための真空蒸留を促進するために、前記第２容器（１０４、２０４）及び、前記分留手段（２０５）を介して前記第３容器（１０６、２０６）に真空を作るように調整され、
前記アルコール飲料から蒸発するエタノールは、前記分留手段（２０５）を介して前記第２容器（１０４、２０４）に送られ、前記第２容器（１０４、２０４）の液体に溶解することを特徴とする、装置。
【請求項２】
前記第１容器（１０２、２０２）は、前記第３容器（１０６、２０６）を備える又は構成することを特徴とする、請求項１記載の装置（１００、２００）。
【請求項３】
前記第３容器（１０６、２０６）は、前記第１容器（１０２、２０２）とは別の容器であることを特徴とする、請求項１記載の装置（１００、２００）。
【請求項４】
前記分留手段（２０５）は分留塔を備えることを特徴とする、請求項１乃至３のいずれか一項に記載の装置。
【請求項５】
本発明の他の例示的な実施形態によると、前記分留手段は、その上部にキャップ部分を有する開いた分留塔の構成を備え、
前記キャップ部分は、エタノール蒸気のために凝縮面を提供することを特徴をする。
【請求項６】
前記装置（１００、２００）は、前記分留手段（２０５）の前、又は前記分留手段（２０５）で、真空蒸留（２０９ａ）の第１の蒸気を収集するための手段を備えることを特徴とする、請求項１乃至５のいずれか一項に記載の装置（１００、２００）。
【請求項７】
前記第１の蒸気は、前記第１容器（１０２、２０２）に導かれ、
前記第１の蒸気は、前記第１容器（１０２、２０２）にある液体と混合されることを特徴とする、請求項５記載の装置（１００、２００）。
【請求項８】
前記第１の蒸気は、微細気泡ディフューザといったディフューザを介して、前記第１容器（１０２、２０２）に導かれることを特徴とする、請求項６記載の装置（１００、２００）。
【請求項９】
前記アルコール飲料を加熱する手段を備えることを特徴とする、請求項１乃至８のいずれか一項に記載の装置。
【請求項１０】
前記加熱手段は、前記第３容器の内容物を加熱するために、前記第３容器に位置することを特徴とする、請求項８記載の装置。
【請求項１１】
前記第２容器及び／又はその内部にある液体を冷却する手段を備えることを特徴とする、請求項１乃至１０のいずれか一項に記載の装置。
【請求項１２】
アルコール飲料のアルコール分を除去する方法であって、
第１容器にアルコール飲料を収容するステップ（３０４）と、
第２容器に液体を収容するステップ（３１０）と、
前記流体が実質的にノンアルコールかどうか判定するステップ（３１２）と、
前記アルコール飲料を、低圧力及び真空蒸留を促進する温度条件下とするよう設定するステップ（３１４）と、
前記圧力及び前記温度条件を、前記アルコール飲料からエタノール蒸気を取り出すための時間、維持するステップと、
分留手段を介して前記第２容器へ生じた前記エタノール蒸気を導くステップ（３１６）と、
留出液を作り出すために、前記分留手段を介して流れる前記エタノール蒸気を冷却するステップ（３１６）と、
前記分留手段から前記第２容器の液体まで、前記留出液を導くステップ（３１６）と、を含む方法。
【請求項１３】
前記アルコール飲料のアルコール含有量（ＡＢＶ）を判定すること（３０６）を備えることを特徴とする、請求項１１記載の方法。
【請求項１４】
圧力及び温度条件を、前記アルコール飲料の目標アルコール含有量（ＡＢＶ）に応じた時間、維持すること（３１４）を備えることを特徴とする、請求項１１又は１２に記載の方法。
【請求項１５】
前記真空蒸留は、前記第３容器で実施されることを特徴とする、請求項１１乃至１３のいずれか一項に記載の方法。
【発明の詳細な説明】
【技術分野】
【０００１】
本発明は、広くは、アルコール飲料の脱アルコールに関する。本発明は具体的には、しかし排他的ではないが、家庭やレストランにある飲料（例えばワイン）からアルコールを慎重に除去する装置及び方法に関係する。
【背景技術】
【０００２】
ワインは、少なくとも新石器時代から生産及び消費されてきた、高く評価されている生産物である。今日でもワインは非常にたくさん消費されており、製造は厳しく規制されている。さらに、ワイン造りで最も長いルーツ（歴史）を有する国では特に、ワインがどのように生産及び消費されるかの決定において、伝統がおそらく大きな役割を果たしさえする。
【０００３】
気候変動により、ワインのアルコール含有量（ＡＢＶ）は、少なくとも世界の一部地域において、この２０〜３０年の間に１０年ごとに約１．５％ペースで着実に上昇している。
ＡＢＶにおけるこの上昇は直接的には、暖かい気候でブドウが生育され、実の糖度（ワインのＡＢＶに直接影響）が上昇した結果である。
同時に、ワイン造りの規制及び伝統が、ワインのＡＢＶ上昇による問題の解決を難しくしている。なぜならワイン造りでは、脱アルコール手段を利用すべきでない。というのは、脱アルコール手段は、味覚や、色、香りといったワインの特質に影響を与えるからである。
【０００４】
また多くの場合、ワインのエタノール含有量は、ワインの特質を高めるための副産物又は触媒である。よってエタノール自体が望まれてでいるものではない。逆に、高いＡＢＶのワインを多量に摂取すると、ワイン中に存在する多量のエタノールを急速に摂取することとなり、健康に関して大きなデメリットとなることが多い。消費者は、官能的で、健康にも役立つワインの特性を享受したいと望んでいるが、上昇したアルコール含有量を考慮すれば、摂取を制限しなければならない。
【０００５】
多くの脱アルコールプロセスが、従来技術より公知である。まず、飲料製造プロセスの前及び／又はプロセス中に用いることができる、発酵前及び発酵（中の）生物学的プロセス及び発酵停止技術が存在する。次に、生成された飲料からアルコールを除去する方法が存在する。そして、この方法が本発明に関連する。
この方法は、従来技術により概念的には周知であるが、そのいくつかの実施例によると、有機溶剤又は超臨界溶媒を使用した、（樹脂、シリカゲル、又は沸石上の）吸着膜濾過、蒸留技術、スピニングコーンカラム、凍結濃縮、蒸発、及び抽出等がある。
【０００６】
しかし、提示された脱アルコール技術の多くは、大型の運用に関連し、通常は大型産業又は研究室グレードの生産設備内で行われる。よってこれらの方法は、アルコール飲料の最終消費者である通常の消費者、レストラン、及びバーでは管理できない。更に、多くの国の現行法では、厳しい規則がアルコール生産及び取扱いに課されている。そして実際のところ、脱アルコールは前述の飲料生産者の手に委ねられるのみである。
【発明の概要】
【発明が解決しようとする課題】
【０００７】
本発明の実施例の目的は、アルコール飲料のアルコールを除去する装置及び方法と特に関連した、従来装置において明らかな、上述した欠点の内１つ以上を少なくとも低減することである。この目的は、請求項による装置及び方法によりほとんど達成される。
【０００８】
本発明の技術的課題は、家庭及びレストランにあるアルコール飲料のアルコール分を適宜除去する方法であり、アルコール飲料から取り除いたエタノールを液体（流体）に希釈させ、エタノールの蒸留物を製造したり取り出したりできないようにする。
本発明のさらなる焦点は、アルコール飲料の特色に（例えば火を通したり、凍らせることによって）影響を及ぼさないように、できるだけ穏やかにアルコール飲料からエタノールを除去するように、脱アルコール化を実施することである。周知のように、ワイン及びビールを長時間加熱すると、その味や特色が変化する。
【０００９】
純エタノールを装置から出さないということは、２つの重要な機能となる。この装置で強いアルコール、特に蒸留で取り出したエタノールを生産することはない。そして、可燃性かつ刺激反応性の気体エタノールを機械から周囲空気へ出すことはない。気体エタノールは、極めて可燃性が高いので危険であり、さらにその刺激的な臭いは不都合でもある。従って、気体又は液体状態のエタノールを装置から出さないことは、装置を実際に使用する際に重要である。更に本発明においては、冷却液を利用して真空（減圧）を作り出し、蒸留で取り出したエタノールを前記冷却液に溶け込ませる。その結果、エタノール蒸気はポンプへ進むことができず、また、装置の外に出ることもない。
【００１０】
本発明の主要な利点は、家庭環境において、さまざまな既製のアルコール飲料の脱アルコールに対して使用できるという点にある。
【００１１】
本発明の他の主要な利点は、純粋なエタノールの蒸留物を最終的に生じることなく、代わりにエタノール蒸気をそのまま凝縮させ、液体に溶け込ませる。本発明を用いると、使用者は蒸留生産物を生産し、それを摂取することができないので、これは、家庭で使用する際には極めて重要である。更に前述の方法は、装置の部品の相互関係及び調整によって本質的に成し遂げられる。従って、蒸留で取り出したエタノールを収集するためのフィルタや容器を必要としない。
【００１２】
さらに本発明のもう１つの利点は、とりわけ、ワインの味、芳香、及びこういった特質に対する影響が最小限であるワインの脱アルコールを可能にするということである。脱アルコールの方法によると、ワインに処理を施すのに最も適した条件を利用するよう最適化される。もっとも、例えばビールや、他のアルコール度数の高いお酒といった類似の飲料からもアルコール分を除去することもできる。
【００１３】
本発明の一態様によると、アルコール飲料のアルコール分を除去する装置は、以下を備える。
アルコール飲料を収容する手段を含む第１容器。
液体を収容する手段を含む第２容器。
第１容器から、アルコール飲料を受けるように配された第３容器。前記第３容器は更に、第２容器に連結される。
内部の圧力を低下させるために、少なくとも第３容器と少なくとも機能的に接続された、真空を生成する手段。
少なくとも部分的に第２容器内部にある分留手段。この分留手段は、機能的に第２容器及び第３容器に連結される。
前記装置は、
アルコール飲料のための、真空（減圧）蒸留を促進するよう構成され、第２容器及び、分留手段を介して第３容器で真空を生成し、アルコール飲料から蒸発するエタノールは、分留手段を介して第２容器へと送られ、蒸発したエタノールが第２容器にある液体に溶解される。
【００１４】
本発明の例示的な実施形態によれば、アルコール飲料はワインである。
【００１５】
本発明の例示的な実施形態によれば、第１容器は、第３容器を備える又は構成する。他の例示的な実施形態によれば、第３容器は、第１容器とは別の容器である。
【００１６】
本発明の例示的な実施形態によれば、分留手段は、分留塔（カラム）を備える。
さらに第２容器内の液体を、蒸気を液体に、更に液体自体に凝縮させるため、カラム（塔）の蒸気を冷却するため、分留手段と相互に作用させて用いてもよい。
本発明の他の例示的な実施形態によれば、分留手段は、上部にキャップ部分を有する、開放された分留塔が配置され、キャップ部分はエタノール蒸気のための凝縮面を提供する。
【００１７】
本発明の例示的な実施形態によれば、本装置は、分留手段の前又は分留手段において、真空蒸留の第１の蒸気を収集する手段を備える。前記第１の蒸気は、第１容器に導いてもよく、第１容器内部の液体と混合される。この第１の蒸気は、ディフューザ（例えば、マイクロバブルディフューザ（拡散器））を介して、第１容器に導いてもよい。
【００１８】
本発明の例示的な実施形態によれば、装置は、アルコール飲料を加熱する手段を備える。加熱手段は好適には、内部の内容物を加熱するために、第３容器に位置してもよい。
【００１９】
本発明の例示的な実施形態によれば、装置は、第２容器及び／又はその中の液体を冷却する手段を備える。この手段は、より効率的に分留手段を冷却することによって、分留手段における凝縮をより効率的に行うために使用することができる。冷却液の量及び温度は、分留手段の凝縮における、好適な効率の観点から制御されるよう設定してもよい。
【００２０】
本発明の例示的な実施形態によれば、分留手段は２段階の機構を備える。第１段階では、第２容器とは別の容器に、真空蒸留の第１の蒸気（蒸発物）を送る。そして第２段階では、第２容器にエタノール蒸気を導く。
本発明の例示的な実施形態によれば、分留手段は、２段階のバルブ機構又は導管配置を備える。第１段階では、アルコール飲料を真空蒸留して得た第１の蒸気を第１容器へ送る。そして第２段階では、第２容器にエタノール蒸気を導く。
弁の作動は、タイミング（時間的）又は目標圧力に関連しており、すなわちタイマーを用いて行うか、真空ポンプで誘発される圧力変化に関連して行ってもよい。
従って第１の蒸気、例えば、アルコール飲料処理の初期の約１０〜２０秒に生じる第１の揮発性エステル類を、第１容器に導くことができる。
【００２１】
本発明の例示的な実施形態によれば、脱アルコール化されたアルコール飲料は、脱アルコール完了後に第３容器から第１容器へ移してもよい。
上記は特に、一部のアルコール分が除去されたアルコール飲料と、未処理のアルコール飲料とを混合するために利用され得る。またさらに、アルコール分が除去されたアルコール飲料及び／又はその混合液を冷却するために用いることができる。
【００２２】
本発明の例示的な実施形態によれば、アルコール分が除去されたアルコール飲料が第３容器から第１容器へ移動させられた後、エタノール溶液の混合液は第２容器から第３容器へと送られ、装置から取り出される。
第３容器を洗浄するためにこの方法を利用してもよい。さらにまた、装置を清潔にするために、装置の導管、弁、及び容器の全体にエタノール溶液の混合液を送ることもできる。
【００２３】
本発明の一態様によると、アルコール飲料からアルコール分を除去する方法は、以下のステップを含む。
第１容器にアルコール飲料を収容するステップ。
第２容器に液体を収容するステップ。
液体が実質的にノンアルコールか判定するステップ。
低圧力（減圧）下かつ真空蒸留を促進するのに適した温度条件下にアルコール飲料をセットするステップ。
前記圧力及び温度条件を、アルコール飲料からエタノール蒸気を取り出すための時間、維持するステップ。
分留手段を介して前記第２容器へ、生じたエタノール蒸気を導くステップ。
留出液を作り出すために分留手段を介して流れているエタノール蒸気を冷却するステップ。
分留手段から第２容器の液体へ前記留出液を導くステップ。
【００２４】
本発明の例示的な実施形態によれば方法は、処理前のアルコール飲料のアルコール含有量（ＡＢＶ）を判定する方法の項目を備える。
【００２５】
本発明の例示的な実施形態による方法は、圧力及び温度条件を、アルコール飲料の目標アルコール含有量（ＡＢＶ）に関連させた時間、維持する方法の項目を備える。
【００２６】
本発明の例示的な実施形態によれば、真空蒸留は、第３容器で行われる。
【００２７】
本発明の例示的な実施形態によれば、圧力及び温度の目標値は、エタノール水溶液の真空蒸留を発生させるものであり、エタノールは４９℃未満の温度条件で蒸発される。
【００２８】
本発明の例示的な実施形態によれば、アルコール飲料の揮発成分を含む第１の蒸気は、分留手段を介して液体と混合されることなく、脱アルコールが行われていないアルコール飲料の方へ導かれ、混合される。
【００２９】
本発明の先に述べた方法の技術的課題は、蒸留で取り出した純粋エタノールが、本発明の方法により作成されないような、さまざまな既製のアルコール飲料の脱アルコールを可能とする方法である。多くの国では、自宅ではアルコールの製造が許可されていないので、このことは、家庭で利用する観点から見て有益である。
【００３０】
本発明の装置の各種実施形態に関する、上記に示された考慮点では、当業者に理解されるように、本発明の方法の実施例に、必要な変更を加えることが可能であり、柔軟に適用することができる。
【００３１】
ここまで簡潔に検討してきたが、本発明の異なる態様の有用性は、各特定の実施例に応じた複数の結果により生じる。
【００３２】
用語「ｅｘａｍｐｌａｒｙ（例示的な）」は、唯一もしくは好適な選択肢というだけではなく、一実施例、又は実施例のような特徴を意味する。
【００３３】
用語「ｄｅａｌｃｏｈｏｌｉｚａｔｉｏｎ（脱アルコール」」及び「ｄｅａｌｃｏｈｏｌｉｚｅｄ（アルコール分を除去した）」は、アルコール飲料のアルコール（エタノール）含有量を低下させることを意味する。
この用語は主に、アルコール飲料のエタノールを低下させることによってアルコール飲料のアルコール含有量を低下させることを意味する。そして、この用語は、脱アルコールの結果物は、達成可能であるかもしれないが、完全に又は完全に近い状態で、エタノールを含まない生産物でなければならないという意味ではない。
【００３４】
用語「ｄｉｓｓｏｌｖｅ（溶解する）」は、エタノール蒸留液又は、気体エタノールが液体に溶解及び／又は混合されることを意味し、用いられる。
【００３５】
本発明の異なる実施例は、添付の従属クレームにおいても開示される。
【００３６】
次に、本発明のいくつかの例示的な実施形態が、添付の図面を参照することにより詳細に確認される。
【図面の簡単な説明】
【００３７】
【図１】本開示内容による、装置の一実施例が開示される。
【図２】本開示内容による、装置の実施例の略図である。
【図３】本開示内容による、アルコール飲料を脱アルコール化する方法の実施例が図示される。
【発明を実施するための形態】
【００３８】
図１には、本発明による装置１００の実施例が開示されている。
【００３９】
装置１００は原則的に、第１容器１０２と、第２容器１０４と、第３容器１０６とを備え、容器間で液体（例えば水やアルコール液）を移動させることができる。
【００４０】
第１容器１０２は、アルコール分を除去するアルコール飲料を取り込み、収容するために用いる。第１容器１０２は好適には、アルコール飲料を収容するために、耐真空のねじ式クロージャ（閉鎖）、キャップ、弁、又は、この種の他の耐真空手段を備える。第１容器１０２は、液体（例えばアルコール飲料）を冷却するために、冷却コイル、冷却ループ、又はこの種の他の構成を備えることもできる。
第１容器１０２にあるアルコール飲料を冷却するための他の手段では、第１容器１０２内部に内側容器を備えることができる。内側容器には、冷水又は氷を差し入れることができる。冷却手段を、第１容器１０２に取り外し可能に取り付けることができ、そして前記手段は冷却液及び／又は氷を循環させるための導管を備えることができる。
【００４１】
第２容器１０４は好適には、液体を収容するために、耐真空ネジクロージャ、キャップ、弁、又はこの種の他の耐真空手段を備える。液体は好適には、水又は他のノンアルコールの液体を含む。しかし、装置１００の技術的な観点からは、アルコール液（飲料）のアルコールを高めるために装置を用いるならば、そのアルコール液は第２容器１０４で用いられ得る。
第２容器１０４は、少なくとも機能的に第３容器１０６に取り付けられた分留手段を備える。分留手段は好適には、分留塔（少なくとも部分的に第２容器１０４内部にある）を備える。そして、分留塔は、上述した手段によって取り込まれた液体で囲まれる。分留塔は、例えばＶｉｇｒｅｕｘ（ビグリュー）カラムを含むことができる。カラムを離れたエタノール蒸気及び凝縮物が周囲の液体内に送られるように、分留塔は好適には、凝縮器の導管又はカラムを囲むキャップ部分を備える。
【００４２】
第３容器１０６は好適には、ワインを沸騰させるタンクとして用いられる。さらに任意で、第３容器１０６は、第２容器１０４で蒸発したエタノールと液体とを混合させた廃棄物を（この混合物は、第２容器１０４から第３容器１０６まで移送されるが）、格納したり、処分するために用いられることができる。加熱手段及び真空ポンプ又は吸引器手段は、第３容器１０６に流体回路を介した機能的な結合により、取り付けられている。
【００４３】
容器１０２、１０４、１０６の材料は、好適には、ポリマー、プラスチック、ガラス、鋼、アルミニウム、又はこの種の他の材料、又は十分にアルコール耐性があるこの種の材料の組合せである。容器１０２、１０４、１０６が、同一材料を含む必要はない。好適には少なくとも、真空度約９０〜９５％又は８５〜９０％又は９５〜９９％の真空蒸留状態を促進することができるように、真空下に置かれる容器は少なくとも、耐真空材料、構造、及び封止手段を有しなければならない。
【００４４】
装置１００は、液体を移動及び／又は分配するための手段１１０、例えば、外部容器１０８（例えばワイン又はビールの瓶、グラス又はこの種の容器）にアルコール分が除去された飲料を分配するための注ぎ口を備えることもできる。調節可能な導管は、外部容器１０８から液体を抜き出すために用いることもできる。
【００４５】
装置１００の機能は、入力手段１１２、例えば回転可能な及び／又は押し込み可能なつまみを使用し、制御することができる。装置１００の設定ならびに脱アルコールプロセスのための入力は、表示画面（ディスプレイ）１１４又はこの種の他のユーザーインタフェース手段を介して設けることができる。場合によっては、任意に又は追加的に、制御手段及びインタフェース手段を、スマートフォン又はコンピュータを介して設けることができる。リモート（遠隔）からの使用者向けに、装置１００の機能、規制、及び／又は（ユーザ）インタフェースを提供するための、ＩｏＴ手段（例えばＭ２Ｍコミュニケーション手段、外部サーバ、クラウドコンピューティング手段）を用いることができる。
【００４６】
装置１００は流体回路を保護するための筺体１１６を備えることもできる。そして、導管と容器と、その複数の構成要素を含む。装置１００が機能する間に生じる可能性のある溢れや滴下物を収集するために、雫受け１１８を利用することもできる。
【００４７】
図２は、本発明による装置２００の実施例の略図である。
【００４８】
第１容器２０２は液体を取り込むための手段を備え、そして第１容器２０２はまた、導管を介して第３容器２０６に連結される。導管は弁によって制御される。第１容器２０２は、冷却手段２０３を備えることもできる。第１容器２０２はねじ込みクロージャ（閉鎖部）又は蓋を備えたカラム（塔）を構成することができる。そして、このクロージャは手動で操作することができる。
【００４９】
第１容器２０２の冷却手段２０３は、第１容器２０２の中に入れられたアルコール飲料の温度を制御するために用いることができる。加えて冷却手段は、保存及び／又は提供のため、アルコール飲料を特定の温度に設定するために用いることもできる。さらに又は逆に、第１容器２０２は、第１容器２０２のアルコール飲料の温度を制御するための加熱及び／又は冷却手段を備えることもできる。
冷却手段２０３は、提供前、すなわち装置２００からアルコール飲料を注ぐ前に、アルコール飲料の温度を設定するのに役立が、この種の手段は、真空蒸留状態を促進するためにも用いることができる。
また、アルコール飲料から少なくとも一部のアルコール分を除去するために、アルコール飲料の少なくとも一部の温度を、真空蒸留プロセスで上昇させ、アルコール飲料は、冷却のために脱アルコールの後、第１容器２０２へ戻るようにしてもよい。
【００５０】
例えば使用者が、アルコール飲料の容器から第１容器２０２に注いだアルコール飲料は、弁２０９ａの制御を経て、任意にポンプ２１１ａの作用により、第３容器２０６へと送られる。
第３容器２０６に送られたアルコール飲料の量を検出するために、流量計２０７を配置することができる。
多くの場合、アルコール飲料の特定部分だけを真空蒸留することは、有益である。処理されるアルコール飲料の量は、真空蒸留して得たアルコール飲料の最終的なアルコール含有量を推定及び／又は制御するために知る必要がある。このことは、アルコール飲料の一部だけのアルコール分を除去し、それから第１容器２０２の未処理のアルコール飲料と混合するとき、特に重要である。
しかし、上述した考慮点は、最終製品の最終アルコール含有量だけに影響を及ぼし、このように装置２００の機械的機能には直接影響を及ぼさない。第１容器２０２から第３容器へと送られる液体は、弁２０９ａ及びポンプ２１１ａ又は２１１ｂで制御することができる。
【００５１】
第２容器２０４には、水又は、低アルコール又はノンアルコールの液体が加えられる。任意には場合により、ワインといったアルコールの液体を、第２容器２０４の液体として用いられることもできる。
前記液体に対するエタノールの可溶性を高める冷却特性の観点から、液体の種類を選択することができる。好適には液体の量は、分留手段２０５の種類及び機能ならびに、分留手段構成の好適な冷却効率で決定される。
更に液体の量は、冷却水又は他の液体の目標エタノール含有量と、真空蒸留で取り出された最終的なエタノール溶液によって決定することもできる。
第２容器２０４にある液体の主な作用は、蒸留で取り出したエタノールが装置２００の外部又はポンプ２１１ｂに移送されないように、この蒸留で取り出したエタノールを液体内に溶け込ませることである。しかし、第２容器にある液体の任意の第２作用として、分留手段２０５を冷却し、そのエタノール蒸気を凝縮させるために前記液体を使用してもよい。
【００５２】
第３容器２０６では、アルコール飲料は、弁２０９ｃを介して、真空ポンプ２１１ｂや吸引器（アスピレータ）等を用いて第２容器２０４及び第３容器２０６を真空（減圧）状態にすることによって、そして任意では、アルコール飲料の温度を十分に、そしてその中の圧力に応じて、アルコール飲料からエタノールを蒸発させるように昇温して、真空蒸留状態とする。
本実施例によると、真空が第２容器２０４で最初に作られるように、弁２０９ｂ及び２０９ａは、真空蒸留プロセスの間は閉じている。そしてこの真空状態は、分留手段２０５を介して第３容器２０６にさらに運ばれる。
そして蒸発したエタノールは、分留手段２０５を上昇する。ここでは、分留塔と、分留塔を囲んでいるキャップ部分の構成として描写されている（前記キャップ部分は、他端が閉じ、分留塔上に配置されたシリンダとして描写されている）。そしてカラムを囲むキャップ部分は、第２容器２０４に加えられる液体によって、少なくとも部分的に更に囲まれる。（前記液体は描写されない）。
エタノール蒸気は分留手段２０５へと進み、そこでエタノール蒸気は、分留手段部品、例えば、端部が第２容器２０４にある液体に浸漬している凝縮器の導管又はキャップ部分の内側、にて凝縮する。凝縮したエタノールは下がり、凝縮液として第２容器２０４内の液体と混合され、及び／又は、気相、すなわちエタノール蒸気から、前記液面に直接溶解する。
エタノール蒸気の中には、液体へ直接移動するものや、第２容器２０４の液体を介して気泡として移動するものがあるが、いくらかは、エタノールガス（例えば液体から生じる気泡）の量があまり多くなりすぎない限りは許容される。例えば少量である場合は、吸込み弁２０９ｃ又は真空ポンプ２１１ｂで、フィルタ等により捕らえられる。
【００５３】
図２の分留手段２０５は、原則的に、第３容器からの蒸気を運搬するために連結されたカラムと、前記カラムの周囲に位置する外包（キャップ部分）とを備える。
蒸気はカラムを介して進み、分留手段２０５のキャップ部分の内側面に凝縮する。そしてそこから凝縮物は、キャップ部分の最下限へと進み、そして、キャップ部分と第２容器２０４との間の空間へと進み、そこで凝縮物は液体と混合される。
液体を介した第２容器２０４からの真空と、キャップ部分と第２容器２０４との間の空間により、エタノール凝縮物は、第２容器２０４の液体に送られる（エタノール凝縮物は本質的に、ある意味、液体の壁に接触する）。内筒と外包との間で凝縮を改良するために、他の構造を用いてもよい。
キャップ部分と分留塔との構成を含む、描写された分留手段２０５を鑑みて、液体は、第２容器２０４に真空を発生させた（それにより液面が上昇した）後でさえ、分留手段２０５のキャップ部分は、液体に完全には沈まないように、好適に用いられるべきである。
まずは第２容器２０４で真空を発生させ、そして分留手段２０５を介して第３容器２０６で真空を発生させると、第２容器２０４の液体が上昇する。そして液体は、キャップ部分と分留塔との間から、一部漏れ出る。
従ってこのプロセスでは、キャップ部分の外面に対して、液面は分留手段２０５の外側で上昇し、その結果、上述されるように液体が分留手段２０５から漏れ出るので、分留手段内部では液面は低下する。
前述により今度は、分留手段２０５内部では、液体を含んでいない内部容積が増大し、より広いキャップ部分の外側領域が液体に囲まれ、より広いキャップ部分の内側面領域は、液体を含まなくなる。そして次に、エタノール蒸気がより効率的に、キャップ部分と分留カラム（前記カラムの外壁）との間の表面上に凝縮できるようになる。
換言すれば、真空ポンプの方向に液体を吸引している真空（これは、第２容器２０４で生じる真空により生じる）、そしてある程度は、第３容器２０６で蒸発するエタノールによって生じたわずかに高い圧力により、分留手段２０５のキャップ部分の外部（第２容器２０４とキャップ部分外壁間の空間）では、液面が上昇し、キャップ部分（分留カラムと隣接する壁領域）の内部空間で、分留手段の冷却領域が増大する。
エタノールが気体エタノールとしてでなく、凝縮液として液体内に入る（混合される）という視点から、凝縮するエタノール蒸気のためのより大きい空間又は領域を有することは好都合である。
【００５４】
上述されるように、第３容器２０６は真空蒸留の温度を制御するために、加熱手段を備えることができる。適切な加熱手段は、一般的に当業者に知られており、そして、例えば加熱要素（例えばコイル）を備えてもよい。この種の加熱手段は、第３容器の液体内に入れておくか、又外部に位置させてもよい。
【００５５】
弁２０９ａは四方弁を備えることができ、弁２０９ｄは二方弁（例えばソレノイドバルブ）を備えることができ、そして、弁２０９ｃはエア抜きを有する三方弁を備えることができるがその一方で、弁２０９ｂは、吸気及び／又はエア抜きを有する三方弁を含むことができる。
【００５６】
真空安全弁又は孔２０９ｅ（例えばダックビル弁）は、分留手段２０５に設置してもよい。このことは、いくつかの実施例において有益である。なぜなら、真空蒸留を終了させた、及び／又は停電等により真空ポンプが故障した後に、第３容器２０６の液体が冷却される場合、真空蒸留反応によって、第３容器２０６でより高い真空が生じる場合があるからである。従って、圧力差には、装置の圧壊又は故障のリスクがない。
【００５７】
本発明において好まれる真空蒸留条件は、最高温度が約４９℃で、この温度（異なる温度条件も可能である）に対応する真空も備える。エタノール−水混合液を真空蒸留するための基本的な概念及び異なる可能な条件（エタノール−水混合液相図に従う）は、当業者によく知られている。約４９℃とは、ワインを加熱する際の、影響があまり大きくないと広く認められている温度の上限である。典型的な真空蒸留状態では、好ましくは真空度約９０〜９５％又は８５％〜９０％又は９５〜９９％が含まれる。
前半２つの真空範囲は、加熱手段を用いる場合に適し、後の真空範囲は、加熱手段がない場合、例えば周囲温度で作動させる場合に、使用し得る。しかし本発明において、こういった制限を確定するものではなく、好適ないずれの値も設定可能であることは明らかである。
図２にあるように装置２００は、第２容器及び第３容器で、又はその間で温度（Ｔ）及び圧力（Ｐ）検出手段ならびに、第１容器２０２の温度検出手段（Ｔ）を備えることができる。
【００５８】
第３容器２０６は、第２容器の液体を分析するために用いることもできる。第２容器２０４の流体の一部は、弁２０９ａを介して第３容器２０６に送ることができる。液体が水であるかどうか知るための手順を用いることができ、そして、次の工程が含まれ得る。
（１）少量（例えば３ｃｌの液体）を第３容器２０６に導く
（２）液体を真空状態下に置き、そして、第３容器２０６の温度を上昇させる
（３）（１）の３ｃｌの液体を急速に沸騰させ、そして、温度及び圧力は、圧力及び温度センサ（Ｐ、Ｔ）又は他の手段でモニタする。
【００５９】
第２容器の液体に対して、使用者のアルコール及び抽出物計測器、又は適切なセンサを用いてエタノール含有量の分析を行うことができる。
【００６０】
さらに装置２００には、真空蒸留状態が作られたときに発生する第１の蒸気を、冷却液中に、この第１の蒸気を導くことなく収集するための手段を備えることができる。このことは有益である。なぜなら真空蒸留状態が作られると生じる第１の蒸気は、エタノールが蒸発し始める前及び／又は同時に（例えば正しい条件下で約２０秒）生じるエステル類及びこの種の揮発性の化合物を含むからである。これらの化合物（エタノールを除く）は、芳香や味覚等を生じさせるワインの多くの特性を有する。
従って、前記揮発性の化合物は、第１容器２０２にある揮発性の化合物を移動させるために、例えば導管２１３を介した弁２０９ａの制御により（分留手段に入っていく代わりに）導くことができる。そして揮発性の化合物を、第１容器２０２の液体に導入することができる。
ディフューザには、それ自体の入口が必要であるが、例えば微細気泡ディフューザを、揮発性の化合物と、第１容器２０２の液体とを混合するために用いることができる。
【００６１】
アルコール飲料からアルコール分を（例えば使用者が決定する目標ＡＢＶまで）除去するために、第３容器２０６にあるアルコール飲料の真空蒸留が実施されたあと、アルコール分を除去した液体を、他の液体（例えば未処理のアルコール飲料）と混合することができる第１容器へ移動させることができる。弁２０９ｄ及び分配手段２１０を介することによって、アルコール飲料又は第１容器のこの液体を流出させてもよい。
【００６２】
例えば、前記混合液を第３の容器２０６に送ることにより、第２の容器２０４のエタノール溶液の混合液は好適に処置される。使用者は、前記混合液の処分及び清掃するために第３の容器２０６を取り外すことができる。任意では、出力配管及び弁を介して、エタノール溶液の混合液を排出／出口導管に直接流してもよい。この排出／出口導管は更に、下水設備に直接連結されていてもよい
それ故、使用者は、マイルドな（軽減した）エタノール−水混合液を残すが、この廃棄処分については手動で行わなければならない。もしくは、使用者が水−エタノール混合液に全く接触しないよう、装置２００で自動的に前記混合液を処分できるようにしてもよい。
【００６３】
有用ではあるが、図２にて図示するように、第３の容器２０６を必ず別容器とする必要はない。
例えば第２の容器２０４の液体及びアルコール飲料を冷却するのに、冷却コイルは１つあればよい。なぜなら、ワインは第３の容器にポンプで送ることが可能であり、この間に第２の容器２０４の液体を、冷却のために第１の容器２０２に送ってもよい。そしてその後、真空蒸留プロセスの間に分留手段のエタノール蒸気を液化させるための冷却を行うため、前記液体を第２の容器２０４へ戻してもよい。
対照的に、第１の容器２０２内部又はその一部として第３の容器２０６を有する場合は、システムがより単純になるという利点がある。そして、第１の容器２０２でアルコール飲料を直接真空蒸留することができ、容器２０２、２０４、２０６間で液体を移動する必要も低減される。
【００６４】
またいくつかの実施例において、アルコール飲料等の外部容器１０８自体を、第１容器２０２として用いることもできる。
この場合、瓶に導管自体を挿入し、真空蒸留を第２容器２０４及び第３容器２０６（これは第１容器２０２とは別の容器である）で、バルブ制御によって、前記第２容器２０４及び第３容器２０６だけに真空を制限することによって、第２容器２０４及び第３容器２０６で真空蒸留を行うことができる。
【００６５】
容器及び回路システムは異なる方法で配置することができ、そして本発明によれば、図１及び図２の装置２００の実施例が単に例示的な実施形態であることは当業者に明らかである。
考慮される本発明のために、明らかに、液体及び気体を運び、処理するシステムの機能及びその相互に関係する役割は重要である。そして、本発明はその点においてよく理解されていなければならない。
装置２００のための１つの実現可能なサイズを図示するために、第１及び第２のカラムの容量は、例えば１６００ｍｌ〜２０００ｍｌであってもよい（図示するようなカラムの外形を有する）。そして第３の容器の容量は、例えば１０００ｍｌ〜１２００ｍｌであってもよい。この量は、典型的なワインのボトル７５０ｍｌのアルコール分を除去するのに適している。装置２００は原則的には、台所卓上機器の寸法でもよい。しかし本発明は明らかに、当業者が理解するように計測可能である。
【００６６】
図３は、本発明によるワインのアルコール分を除去する方法の実施例を図示するブロック図である。明らかに、他の飲料を用いることも可能であるが、いくつかの例示的な装置の作用及び機能における明白な描写のために、本願明細書ではワインを用いる。
【００６７】
「スタートアップ（開始）」と称される３０２では、装置、例えば少なくとも使用者による入力に関する部分がセットアップ（設定）される。このセットアップには少なくとも、脱アルコールプロセスを実行する装置の電源を入れることが含まれ得る。
【００６８】
３０４で、使用者は脱アルコールの装置にワインを入れる。
【００６９】
３０６で、任意で使用者による入力を介してワインのＡＢＶを確定する。使用者は例えば、ワイン容器からＡＢＶを知ることもできる。
【００７０】
３０８で、ワインの目標ＡＢＶ（すなわち脱アルコールプロセス後のＡＢＶ）を確定する。目標ＡＢＶは、使用者が設定するか又は予め決めておくことができる
【００７１】
３１０で、装置に液体を入れる。この液体はワインと混ざらないようにワインとは別の場所（容器）に注がれる。好適には、装置に加えられる液体の量は、脱アルコールの装置に入れたワインの量と少なくとも同量である。
【００７２】
３１２では、３１０で加えられた液体が適切であり、少なくとも実質的に低アルコール又は完全なノンアルコールの液体であるか確認するためのチェックが行われる。
例えば、液体のエタノール含有量は、使用者がアルコール及び抽出物計測器により、又は適切なセンサを用いて判定することができる。少なくとも、アルコールを含むかどうかは判定されなければならない。また場合によっては、液体のアルコール含有量を判定する場合もある。液体は、ジュースやお茶、コーヒー類である場合もある。液体が不適切な物質（例えばエタノール−水混合液）を含むと判定される場合、項目３１０及び３１２に従って新しい流体が加えられ、確認される間、そのプロセス（処理）は停止される。
水であるか、アルコールを含まない適切な液体が検出された場合、プロセスは項目３１４へと続く。
【００７３】
３１４では、例えば真空ポンプ吸引を用いて真空蒸留を行うことができる空間にワインが移される。ワインの量は好適には流量計でモニタされる。水は真空下に置かれ、そして、その量を判定することもできる。あまりに水の量が少ない場合、例えばモニタされたワインの量より水が少ないと検出される場合、本プロセスを制御するために、水を追加するよう要請することができる。分留手段を通過するエタノール蒸気の、より良好な液化を促進するために、好適には水は約８〜１０℃まで冷却してもよい。
【００７４】
一部のワインは、この一部が真空蒸留プロセス下に置かれない特定の場所に配置することができる。そして、こういった未処置分を冷却することもできる。
アルコール分が除去されるワインは、真空度約９０〜９５％の真空状態下に置かれ、温度は約３５〜４０℃、好ましくは４９℃を超えることがないようにする。この温度については、幾つかの例により、その温度を超えるとワインの質の劣化を生じさせ得ることが確認されている。また、真空度は８５〜９０％又は９５〜９９％であってもよい。広義では、真空蒸留により異なる実施可能な条件について当業者は理解するだろう。
【００７５】
３１６で、エタノールは分留手段を介して、蒸発及び移動する。分留手段と相互に作用する冷却されたノンアルコール液体により、エタノール蒸気は液化される。そして次に、液化されたエタノール蒸留液は分留手段を介して水に送られる。任意及び／又は追加で、エタノール蒸気は、分留塔を介して直接水面又は水面付近まで進み、ここで水に直接凝縮することもできる。
いくつかの例において、エタノールの一部は気泡として水を通して流れることができるが、前述したとおりであってもよい。
【００７６】
３１８で、目標ＡＢＶ及び他容器の未処理のワイン量に応じて、特定量のエタノールがワインから除去された後に真空は解除され、アルコール分が除去されたワインを他の容器に取り出すことができる。そこで、アルコール分が除去されたワインを未処理のワインと混合することもできる。さらにワインの分配や飲用、又は格納及び保存するために、ワインを特定温度とするために冷却してもよい。
【００７７】
ワインは、ワインの格納条件及び保存を改善するために、真空状態に置いてもよい。
【００７８】
エタノール−水混合液（廃棄物とみなされる）は、排出口に導いても、もしくは使用者が処分するようそのまま置いていてもよい。しかし混合液のＡＢＶは、最初のワインより高くなることはない。そして実際の使用では使用者により、ＡＢＶが処理前のワインより高くなることはないので、常にアルコールは大幅に低くなる。
【００７９】
本発明の範囲は、その等価物と共に、添付の請求の範囲で確定される。当業者は、開示された実施例が説明の便宜上行われたのみであるという事実を認めるであろう。そして、本願明細書で確認される革新的な支点は、本発明の各特定の使用例により適した更なる実施例、実施例の組合せ、変形例、及び等価物まで及ぶ。
【図１】
2020500706.tif 000003
【図２】
2020500706.tif 000004
【図３】
2020500706.tif 000005
【国際調査報告】
2020500706.tif 000006
2020500706.tif 000007
2020500706.tif 000008